(57)【要約】【課題】  省スペース化、構造の簡素化が図れると共に、ユーザーが認識し易い車両用空調機における温度表示装置を提供する。【解決手段】  設定温度表示状態にあるノブ１が押圧操作されることに基づいて、制御装置８により外気温度情報に応じてサーボモータ６を駆動させ当該ノブ１のＬＥＤ４を外気温度と合致する温度目盛３ａまで回動させて外気温度表示状態させる。【選択図】  図１
2005029107.tif 000002
【特許請求の範囲】
【請求項１】
ユーザーにより移動操作される操作子と、
この操作子の移動量に応じて温度目盛を付した温度表示部とを備え、
前記操作子の移動操作時に前記移動量に応じて前記温度表示部に車両用空調機の設定温度を表示するようにしたものにおいて、
外気温度表示用スイッチと、
前記外気温度表示用スイッチが操作されると、外気温度情報に基づいて外気温度に合致する温度目盛まで前記操作子を移動制御して外気温度を表示する移動手段とを備えてなる車両用空調機における温度表示装置。
【請求項２】
操作子は回動操作可能で、且つ押圧操作可能な円形のノブから構成され、
温度表示部は、このノブの回動中心を中心とする円環状に設けられ、
外気温度表示用スイッチは前記操作子の押圧操作によりオン・オフされることを特徴とする請求項１記載の車両用空調機における温度表示装置。
【請求項３】
温度表示部は、表示色変更な表示器を備え、この表示器は、設定温度表示状態と外気温度表示状態とで表示色が変更されることを特徴とする請求項１または２記載の車両用空調機における温度表示装置。
【請求項４】
前記操作子は、外気温度表示状態が所定時間経過すると設定温度表示状態に戻ることを特徴とする請求項１ないし４いずれかに記載の車両用空調機における温度表示装置。
【発明の詳細な説明】
【技術分野】
【０００１】
本発明は、車両室内の温度設定、及び外気の温度表示が可能な車両用空調機における温度表示装置に関する。
【背景技術】
【０００２】
従来の車両用空調機における温度表示装置では、図６に示すように、例えばノブ１１が設けられたパネル１２において当該ノブ１１の回動中心を中心として、「ＴＥＭＰ」と表記された１８〜３２℃の温度目盛１３が円環状に付設され、前記ノブ１１を左右方向へ回動操作することにより車両室内の温度設定を行い、この設定温度が液晶表示部１４に表示される構成のものがある。
【０００３】
また、前記液晶表示部１４の下方に「ＯＵＴ  ＳＩＤＥ  ＴＥＭＰ」との表記があり、その下方部にボタン１５が設けられ、このボタン１５を押圧操作することにより前記液晶表示部１４に外気温度が表示されている。
【発明の開示】
【発明が解決しようとする課題】
【０００４】
しかしながら、上記構成の車両用空調機における温度表示装置では、車両室内の温度及び外気温度（外気の温度）の両温度の表示のために、前述した通り液晶表示部１４を設ける必要があり、パネル１２に対して別途表示スペースを確保しなければならなかった。また、ユーザーが、例えば外気温度を認識するには前記液晶表示部１４の数字（温度表示における数字）を読み取らなければならず、運転中等において読み取る時間が限られる、換言すれば短いので、この数字（温度）を認識し辛かった。
【０００５】
本発明は、上記事情に鑑みてなされたものであり、その目的は、液晶表示部を設けずに省スペース化、構造の簡素化が図れると共に、温度の認識がし易い車両用空調機における温度表示装置を提供することにある。
【課題を解決するための手段】
【０００６】
上記目的を達成するために、本発明の車両用空調機における温度表示装置は、ユーザーにより移動操作される操作子と、この操作子の移動量に応じて温度目盛を付した温度表示部とを備え、前記操作子の移動操作時に前記移動量に応じて前記温度表示部に車両用空調機の設定温度を表示するようにしたものにおいて、外気温度表示用スイッチと、前記外気温度表示用スイッチが操作されると、外気温度情報に基づいて外気温度に合致する温度目盛まで前記操作子を移動制御して外気温度を表示する移動手段とを備えていることを特徴とする（請求項１の発明）。
【０００７】
この構成によれば、外気温度を液晶表示する必要がなく、別途表示スペースを設けずに外気温度が表示できるので、車両用空調機における温度表示装置における省スペース化、構造の簡素化を図ることができる。また、この場合、外気温度情報により得られた外気温度に基づき、移動手段によって操作子が温度目盛における当該外気温度に合致する位置にまで移動されるので、ユーザーは操作子の移動方向、移動量によって大まかな外気温度を認識できる。
【０００８】
また、上記の場合、操作子は回動操作可能で、且つ押圧操作可能な円形のノブから構成され、温度表示部は、このノブの回動中心を中心とする円環状に設けられ、外気温度表示用スイッチは前記操作子の押圧操作によりオン・オフされるように構成するとよい（請求項２の発明）。
この構成によれば、操作子としてのノブが車両室内における温度の設定、表示機能、及び外気温度表示スイッチの押圧機能、外気温度の表示機能の夫々を兼ねる機能を有するので、車両用空調機における温度表示装置における省スペース化、構造の簡素化を一段と図ることが可能となる。
【０００９】
また、温度表示部は、表示色変更な表示器を備え、この表示器は、設定温度表示状態と外気温度表示状態とで表示色が変更されるように構成するとよい（請求項３の発明）。
上記構成によると、表示器の表示色が異なることにより、ノブが設定温度表示状態で車両室内の温度を示しているのか、或いは外気温度表示状態で外気温度を示しているのかをユーザーが容易に認識することができる。
【００１０】
また、前記操作子は、外気温度表示状態が所定時間経過すると設定温度表示状態に戻るように構成するとよい（請求項４の発明）。
上記構成によると、ユーザー自らがノブを操作して外気温度表示状態から設定温度表示状態に切り替える手間を省くことができる。
【発明の効果】
【００１１】
本発明の車両用空調機における温度表示装置は、パネルに対して別途表示スペースを設けずに外気温度が表示できるので、車両用空調機における温度表示装置の省スペース化、構造の簡素化を図ることができると共に、操作子が移動手段によって外気温度に合致する温度目盛にまで移動されるので、ユーザーは前記操作子の移動方向、移動量によって大まかな外気温度を認識し易いという優れた効果を奏する。
【発明を実施するための最良の形態】
【００１２】
以下、本発明の第１の実施例（第１の実施形態）について、図１〜図３を参照して説明する。
車両用空調機における温度表示装置には、図２に示すように、操作子たる円筒形状のノブ１が、パネル２の略中心部に設けられている。ノブ１は左右方向へ回動操作可能であると共に、軸方向へ押圧操作可能であり、当該ノブ１は押圧操作された場合には、戻り方向へ、例えばばねの付勢力によって自動復帰する構成となっている。このノブ１の周りには、当該ノブ１の回動中心を中心として０℃以下（「ＵＮＤＥＲ」なる文字部分）、０〜３０℃、３０℃以上（「ＯＶＥＲ」なる文字部分）が示された温度目盛３ａが円環状に付設されている。ノブ１の表面には、表示色変更可能な表示器としてＬＥＤ４が設けられており、このＬＥＤ４は後述の制御回路８より制御されるようになっており、外気温度表示状態においては、例えばオレンジ色に発光され、設定温度表示状態においては、例えばグリーン色に発光されるように構成されている。
【００１３】
なお、本実施例における温度表示部３は前記温度目盛３ａ及びノブ１のＬＥＤ４とで構成されるものである。
また、前記パネル２の裏面側には、図１に示すように、可変抵抗器５、及び移動手段としてのサーボモータ６が配設され、図３に示すように、このサーボモータ６の出力軸６ａ、及び伝達軸７、そしてノブ１は互いが機械的に連結されており、伝達軸７を介して前記出力軸６ａの回動によりノブ１も回動する構成となっている。
【００１４】
図１に示す制御回路８は、サーボモータ６の制御を行うと共に、空調機制御手段（図示せず）を含むＥＣＵに温度設定信号を出力するものであり、この制御回路８には、外気温度表示用スイッチ９からのスイッチ信号、外気温度情報Ｔａ、及び可変抵抗器の抵抗値信号Ｒａが与えられるようになっている。
上記外気温度表示用スイッチ９は、前記ノブ１の押圧操作に応じてＯＮされ、押圧操作解除に応じてＯＦＦされるように構成されている。また、外気温度情報Ｔａは、図示しない外気温度センサから出力されるものである。
【００１５】
ここで、ユーザーによって、ノブ１の回動操作がなされると、空調機における温度設定がなされるようになっている。即ち、ノブ１が回動操作されると可変抵抗器５から前記ノブ１の回動操作の移動量に応じた任意の抵抗値信号Ｒａが制御装置８に入力される。制御装置８は、この抵抗値信号Ｒａに応じてＥＣＵへ温度設定信号を出力し、ＥＣＵは、空調機を制御して、車両室内に提供される空気の温度を変更させるものである。
【００１６】
また、制御回路８は、前記ノブ１の軸方向への押圧操作によって外気温度表示用スイッチ９がオンとなると、外気温度情報Ｔａが入力され、この外気温度情報Ｔａの入力に応じた移動量だけサーボモータ６を駆動させて、当該ノブ１のＬＥＤ４を外気温度と合致する温度目盛３ａまで回動させて外気温度表示状態させる。つまり、本実施例において、ノブ１は車両室内における温度の設定、表示機能、及び外気温度の表示機能、そして外気温度表示用スイッチ９の操作機能とを夫々兼ねるものである。そして、制御装置８は、外気温度表示状態が所定時間、例えば５秒間経過したら前記ノブ１を回動させて設定温度表示状態に戻すものである。
【００１７】
以上のように上記第１の実施例によれば、ノブ１を軸方向へ押圧操作するだけで設定温度表示状態から、前記ノブ１が回動して外気温度と合致する温度目盛３ａで停止することをもって外気温度を示す（表示する）外気温度表示状態となるよう構成とした。このため、パネル２に別途液晶表示部を設ける必要がないので、液晶表示板や基盤、或いはこれらに付属する部品が削減でき、車両用空調機における温度表示装置において、省スペース化、構造の簡素化を図ることができる。更に、ＬＥＤ４が発光した状態で外気温度を示して（表示して）いるので、ユーザーは当該外気温度を認識し易いと共に、ノブ１の移動方向、移動量によって大まかな外気温度、つまり室温より高いか低いか、またその差はどれくらいかを容易に認識できる。
【００１８】
また、外気温度表示状態、及び設定温度表示状態においてＬＥＤ４の表示色をオレンジ色、及びグリーン色として互いが異なる色となるように構成した。このため、ノブ１のＬＥＤ４が示している温度が外気温度なのか、室内温度なのかを、ユーザーが容易に認識することができる。
また、外気温度表示状態が所定時間経過したらノブ１を再び回動させて設定温度表示状態に戻す構成とした。このため、ユーザー自らがノブ１を操作して外気温度表示状態から設定温度表示状態に切り替える手間を省くことができる。
【００１９】
なお、上記第１の実施例における温度表示部３は温度目盛３ａ及びノブ１のＬＥＤ４とで構成するようにしたが、これに限定されるものではなく、例えば温度目盛３ａをノブ１の表面に設け、ＬＥＤ４をパネル２に設けることにより温度表示部３として構成するようにしてもよい。
また、ノブ１を押圧操作することに基づいて当該ノブ１が外気温度を表示するように構成したが、これに限定されるものではなく、外気温度を表示させる外気温度表示用スイッチとしては、ノブ１により操作されるものではなく、例えば本発明の第２の実施例（第２の実施形態）を示す図４のように、「外気温度」と表記された外気温度ボタン２１により操作される構成としてもよく、この場合、この外気温度表示ボタン２１の裏側に外気温度表示用スイッチを設ければよい。
【００２０】
上記の場合には、外気温度ボタン２１とノブ１とが夫々別部材で構成されており、例えば設定温度を変更する操作と、外気温度を表示させる操作とでは、前述した通り、別部材を操作して行われるので、例えば設定温度を変更するためにノブ１を回動操作させようとした際に、誤って当該ノブ１を押圧操作してしまうような誤操作を確実に防止できる。なお、外気温度ボタン２１の表面にはＬＥＤ２２が設けられており、このＬＥＤ２２は、ノブ１が外気温度表示状態であるときは発光し、設定温度表示状態であるときは発光しない構成である。
【００２１】
また、上記第１及び第２の実施例では、温度目盛３ａとして、０℃以下〜３０℃以上を示すようにしたが、これに限定されるものではなく、例えば本発明の第３の実施例（第３の実施形態）を示す図５のように、０℃以下の温度目盛３ａも５℃間隔で−１５℃まで、３０℃以上の温度目盛３ａも５℃間隔で４５℃まで表記させるようにしてもよく、この場合、ユーザーは外気温度をより細かい単位で認識することが可能となる。
【００２２】
なお、上記第１〜第３の実施例では、ノブ１が外気温度表示状態から設定温度表示状態に戻る設定時間を５秒としたが、これに限定されるものではなく、例えば５秒以上であったり、或いはユーザーが任意で設定できるような構成にしてもよい。
また、ＬＥＤ４、２２の表示色を外気温度表示状態ではオレンジ色、設定温度表示状態ではグリーン色としたが、これに限定されるものはなく、外気温度表示状態、及び設定温度表示状態とで互いが異なる色とすれば、例えば赤と白等、要旨を逸脱しない範囲で適宜変更すればよい。
【００２３】
また、操作子として円筒状のノブ１を用いて回動操作する構成としたが、これに限定されるものではなく、例えば操作子は左右、或いは上下方向にスライド操作する構成としてもよい。
【図面の簡単な説明】
【００２４】
【図１】本発明の第１の実施例を示すもので、電気的構成を示すブロック図
【図２】車両用空調機における温度表示装置の正面図
【図３】車両用空調機における温度表示装置の斜視図
【図４】本発明の第２の実施例を示すもので、図１相当図
【図５】本発明の第３の実施例を示すもので、図１相当図
【図６】従来構成を示す図１相当図
【符号の説明】
【００２５】
図中、１はノブ（操作子）、３は温度表示部、３ａは温度目盛、４はＬＥＤ（表示器）、６はサーボモータ（移動手段）、９は外気温度表示用スイッチ、２１は外気温度ボタン（外気温度表示用スイッチ）、Ｔａは外気温度情報である。
【図１】
2005029107.tif 000003
【図２】
2005029107.tif 000004
【図３】
2005029107.tif 000005
【図４】
2005029107.tif 000006
【図５】
2005029107.tif 000007
【図６】
2005029107.tif 000008